(57)【要約】【課題】揺動体のメカニカルな動きにより有利，不利が決せられ、しかもその状況を遊技者が目で確かめられるようにすることで、娯楽性を増すとともに、抽選が公正に行われることが確認され、結果に不信感が生じることがないようにする。【解決手段】遊技者が内部を透視可能なように透明または網目状に形成された容器２０と、該容器内に自由に揺動可能なように収容された揺動体２１，２２と、該容器を揺動させる駆動手段１９と、該容器の揺動を停止させたときの該揺動体の静止位置または種類を識別する識別手段２４とからなる。容器２０内に揺動体が１個だけ入り得る凹部２３を形成する。【選択図】　図５
2004065405.tif 000002
【特許請求の範囲】
【請求項１】
遊技者が内部を透視可能なように透明または網目状に形成された容器と、該容器内に自由に揺動可能なように収容された揺動体と、該容器を揺動させる駆動手段と、該容器の揺動を停止させたときの該揺動体の静止位置または種類を識別する識別手段とからなることを特徴としたパチンコ遊技機の抽選装置。
【請求項２】
容器は揺動体を流出させない密閉されたものである請求項１に記載のパチンコ遊技機の抽選装置。
【請求項３】
揺動体は個々の色に着色された複数個の球体であり、識別手段は該球体の色を識別するものである請求項１または２に記載のパチンコ遊技機の抽選装置。
【請求項４】
容器内に揺動体が１個だけ入り得る凹部を形成した請求項１〜３に記載のパチンコ遊技機の抽選装置。
【請求項５】
容器内に２通りに色分けされた揺動体が収容され、該容器の揺動を停止させたとき凹部に入った揺動体の色を識別することにより遊技者にとって有利または不利に作用するようにした請求項４に記載のパチンコ遊技機の抽選装置。
【請求項６】
容器内に複数種類に色分けされた揺動体が夫々１個ずつ収容され、該容器の揺動を停止させたとき凹部に入った揺動体の色を識別することにより遊技者にとって有利または不利に作用するようにした請求項４に記載のパチンコ遊技機の抽選装置。
【請求項７】
識別手段の識別結果によって図柄変動表示器に特定図柄が表示される確率を変化させるようにした請求項１〜６に記載のパチンコ遊技機の抽選装置。
【発明の詳細な説明】
【０００１】
【発明の属する技術分野】
本発明は、パチンコ遊技機に有利，不利を抽選するために設けられる抽選装置に関するものである。
【０００２】
【従来の技術】
近時のパチンコ遊技機は、周知のように、入賞時等に取得された乱数を判別することによる電子的抽選によって大当たりを招来させたり、大当たり確率を制御する構成である。従って、従来のパチンコ遊技機が持っていたメカニカルな要素は次第に少なくなってきている。
【０００３】
【発明が解決しようとする課題】
ところで上記のように専ら電子的抽選によって有利，不利が決せられる状況であると、不利な結果が出ることが続くと、その遊技機に対し遊技者は不信感が持つこととなるおそれがあるとともに、面白みに欠けるという問題があった。
そこで本発明は、有利，不利を決する抽選にメカニカルな要素を採り入れ、パチンコ遊技機の興趣を増大しようとするものである。
【０００４】
【課題を解決するための手段】
そのために本発明のパチンコ遊技機は、遊技者が内部を透視可能なように透明または網目状に形成された容器と、該容器内に自由に揺動可能なように収容された揺動体と、該容器を揺動させる駆動手段と、該容器の揺動を停止させたときの該揺動体の静止位置または種類を識別する識別手段とからなることを特徴とする。
また本発明は上記パチンコ遊技機において、容器は揺動体を流出させない密閉されたものであることを特徴とする。
また本発明は上記パチンコ遊技機において、揺動体は個々の色に着色された複数個の球体であり、識別手段は該球体の色を識別するものであることを特徴とする。
また本発明は上記パチンコ遊技機において、容器内に揺動体が１個だけ入り得る凹部を形成したことを特徴とする。
また本発明は上記パチンコ遊技機において、容器内に２通りに色分けされた揺動体が収容され、該容器の揺動を停止させたとき凹部に入った揺動体の色を識別することにより遊技者にとって有利または不利に作用するようにしたことを特徴とする。
また本発明は上記パチンコ遊技機において、容器内に複数種類に色分けされた揺動体が夫々１個ずつ収容され、該容器の揺動を停止させたとき凹部に入った揺動体の色を識別することにより遊技者にとって有利または不利に作用するようにしたことを特徴とする。
また本発明は上記パチンコ遊技機において、識別手段の識別結果によって図柄変動表示器に特定図柄が表示される確率を変化させるようにしたことを特徴とする。
【０００５】
【発明の実施の形態】
次に発明の実施形態を図面に従い説明する。図１はこのパチンコ遊技機の正面を示し、１は遊技盤、２はこの遊技盤上に設けられた図柄変動表示器、３は普通入賞口、４は本発明に係る抽選装置、５はソレノイドにより一対の羽根が開閉動し得るように設けられたチューリップ型の始動口、７は該始動口５の下方に設けられた大きな長方形状の大入賞口からなる可変入賞装置で、該可変入賞装置７にはソレノイドの作動により開閉動する開閉扉８が設けられ、該可変入賞装置内には継続入賞口９が設けられている。
【０００６】
また、１０は景品球受用の上皿、１１は下皿、１２は打球発射ハンドルである。１３は遊技者が操作し得るように遊技機前面に設けられた表示ランプ入りの抽選開始用押しボタンスイッチである。
【０００７】
上記抽選装置４は、図２，図３に示したように、遊技盤１に形成された開口中に装着されるもので、ケース１５の背壁面中央を貫通するように回転軸１６を水平に支持し、該回転軸の後方端に歯車１７，１８を介してステッピングモータ１９を連繋し、該回転軸の前端に透明なプラスチックによって成形されたドーム状の容器２０を固着することで、該容器２０がステッピングモータ１９の駆動によりケース１５内で揺動し得るようにしている。容器２０内には赤色に着色された揺動体たる球体２１と透明な球体２２とが夫々自由に揺動可能なように４個ずつ収容されている。また、２３は該容器２０の一側に球体２１または球体２２が１個だけ入り得るように形成された凹部である。なお、該容器は球体２１，２２を流出させない密閉された形態のものである
【０００８】
また、２４はケース１５の側壁に相対するように設けられた投光器２５と受光器２６とからなる識別手段で、投光器２５から出た光が容器２０の下側を水平に過ぎるように配置され、凹部２３が下側に位置したときにその光が該凹部を透過し得るようにしている。
【０００９】
このパチンコ遊技機では、始動口８に打球が入賞すると図柄変動表示器２に図柄が３列にて変動表示され、例えば「２２２」，「７７７」，「☆☆☆」のような予め定められた特定図柄で停止すると大当たり（特別遊技状態）となり、可変入賞装置７がソレノイドの作動により開成状態となり、その開成状態の可変入賞装置７に打球が１０個入球するか、または開成状態で３０秒が経過すると、いわゆる第１ラウンドが終わって該可変入賞装置７は一旦は閉じるが、その第１ラウンド中に継続入賞口９に打球が入球していた場合には第２ラウンドが始まりすぐにまた該可変入賞装置７が開かれ、以降も各ラウンド中に継続入賞口９に打球が入賞したことを条件として第１６ラウンドになるまで該可変入賞装置７が継続的に開かれる。
【００１０】
そして、図柄変動表示器２に特定のキャラクタが表示されたり、特定入賞口に打球が入賞するなど、何らかの始動条件が成立すると、押しボタンスイッチ１３が点灯し、遊技者がこの押しボタンスイッチを操作することでステッピングモータ１９の駆動により図４に示したように容器２０が揺動し、該容器内の球体２１，２２がシャッフルされる。そして数秒後に自動的または遊技者が押しボタンスイッチ１３から手を離すことにより、図５に示したように該容器の下側に位置した凹部２３中にいずれか１個の球体が入った状態で揺動が停止する。そしてその球体の種類が受光器２６に入射する光により識別される。そしてこの識別結果が遊技者にとって有利または不利となるように作用する。例えば凹部２３中に赤色の球体２１が入った場合には上記図柄変動表示器２が特定図柄で停止する確率が高くなり、透明な球体２２が入っていた場合はその確率は従前のままとなる。従って遊技者は容器２０が揺動することによって凹部２３中に赤色の球体２１が入ることを願望し、この揺動によってどの球体が入るかを期待感をもって楽しく見ることができる。
【００１１】
また、容器２０中に収容する球体は上記実施形態に示したように２通りに色分けされたものでなくても、さらに多色に色分けされたものを収容してもよい。そして、例えば特許第３１５４００７号に示されたような色センサを備えた色識別装置により凹部２３に入った球体の色を識別することにより、遊技者によっての有利性の度合いをさらに多段階に設定することもできる。
【００１２】
また、識別手段の識別結果によっては必ずしも上記のように確率を変化させなくても、チューリップ型始動口５の開時間を制御したり、ラウンド数を増減させたりすることで、遊技者に有利または不利がもたらされるようにしてもよい。
また、容器２０については、透明でなくても網目状の容器として内部を透視し得るようにしてもよい。また、容器２０内に収容する揺動体についても実施形態に示したように必ずしも球体でなくても、容器２０内にて自由に揺動する形体であればよい。
【００１３】
【発明の効果】
このように本発明に係るパチンコ遊技機の抽選装置は、遊技者が内部を透視可能なように透明または網目状に形成された容器と、該容器内に自由に揺動可能なように収容された揺動体と、該容器を揺動させる駆動手段と、該容器の揺動を停止させたときの該揺動体の静止位置または種類を識別する識別手段とからなるものであるので、揺動体のメカニカルな動きにより有利，不利が決せられ、しかもその状況を遊技者が目で確かめられるので、娯楽性が増すとともに、抽選が公正に行われることが確認され、結果に不信感が生じることがなく、パチンコ遊技の興趣を増大させる有益な効果がある。
【図面の簡単な説明】
【図１】本発明の実施形態を示すパチンコ遊技機の正面図。
【図２】本発明の実施形態を示す抽選装置の縦断面図。
【図３】図２の抽選装置のＡ−Ａ線断面図。
【図４】図３の抽選装置の作動状態図。
【図５】図３の抽選装置の作動状態図。
【符号の説明】
１　　　　　遊技盤
２　　　　　図柄変動表示器
４　　　　　抽選装置
１３　　　　押しボタンスイッチ
１６　　　　回転軸
１９　　　　ステッピングモータ
２０　　　　容器
２１，２２　球体
２４　　　　識別手段
２３　　　　凹部
【図１】
2004065405.tif 000003
【図２】
2004065405.tif 000004
【図３】
2004065405.tif 000005
【図４】
2004065405.tif 000006
【図５】
2004065405.tif 000007